(57)【特許請求の範囲】
【請求項１】
通気機能を与え、かつ人が着用する物品の何れにも取り付けることができる構造体であって、前記構造体は、空気の通路及び通気用チャネルを形成する、補強材を構成する突出領域を備える、前記構造体において、
その全面に亘って設置されたメッシュにより変形し得る可撓性材料製の少なくとも１つのグリッド（９）から成り、
前記グリッドは、複数の突出形状部（２ａ）に形状記憶を与える成形処理によって得られたこれら複数の突出形状部（２ａ）を具備し、
メッシュ形態（２ａ）で得られた前記形状部（２ａ）が配置され、かつ通気チャネルを形成するように配置構成され、
前記形状部（２ａ）の外周壁（２ｂ）及びこれらの上面は曲げ易く変形可能である、通気はグリッドからなるメッシュ全体に亘って生じることを特徴とする構造体。
【請求項２】
前記グリッドは熱形成によって得られることを特徴とする、請求項１に記載の構造体。
【請求項３】
前記グリッドは熱プレスによって得られることを特徴とする、請求項１に記載の構造体。
【請求項４】
輪郭形成した前記形状部（２ａ）は作用する接触圧力の関数として変形可能であり、かつブロック効果を与えることを特徴とする、請求項１から請求項３までのいずれか１項に記載の構造体。
【請求項５】
前記グリッド（２）はその外周境界を介して任意のリンク装置によって支持シェルに固定されることを特徴とする、請求項１から請求項４までのいずれか１項に記載の構造体。
【請求項６】
前記支持シェルに対して張力付与された保護カバーネット（６）を受容することを特徴とする、請求項５に記載の構造体。
【請求項７】
前記グリッドと共に成形され、該グリッド上に置いた保護カバーネット（６）を受容することを特徴とする、請求項５に記載の構造体。
【請求項８】
個々の側面を部分的に覆う、長手方向に対して直角な横方向のウィングを具備することを特徴とする、請求項５に記載の構造体。
【請求項９】
突出する形状部と共に配置された複数のグリッドを備えることを特徴とする、請求項１から請求項８までのいずれか１項に記載の構造体。
【請求項１０】
バッグ背面構造体に適用したことを特徴とする、請求項１から請求項９までのいずれか１項に記載の構造体。
【請求項１１】
携帯バッグ肩ストラップに適用したことを特徴とする、請求項１から請求項９までのいずれか１項に記載の構造体。
【請求項１２】
バッグを運ぶためにウエストベルトに適用したことを特徴とする、請求項１から請求項９までのいずれか１項に記載の構造体。
【請求項１３】
ウエストベルトに適用したことを特徴とする、請求項１から請求項９までのいずれか１項に記載の構造体。
【発明の詳細な説明】
【技術分野】
【０００１】
本発明は、全てのスポーツ、ハイキング、登山、スクールバッグ又はベビーカー用途のための背面に担持されるリュックサック、学校手提げカバン及び手荷物に関する技術的分野に関する。
【背景技術】
【０００２】
バッグ、リュックサック、ベビーカー等の携帯は、着用者のための快適性要求、特に、バッグ又は手荷物の背面と着用者の背中との間の通気のための要求を課す。同じことがショルダーストラップ又はベルトタイプのこれらの構成要素にあてはまる。
【０００３】
この場合、出願人は、より良い快適性レベルを生じさせる、背面の通気及び風当ての可能性を含む背面担持システムを開発した。
【０００４】
従って、従来技術特許文献に記載された第１実施形態を説明する。堅固なフレームは、逆Ｖ字を構成する結合された分岐部を具備して配置される。空気の循環用空間を形成するために、第１分岐部は背面の底部及び把持ウエストベルトの後部面と相互作用するように構成される（例えば、特許文献１参照）。
【特許文献１】仏国特許第９６／０５１９４号明細書
【０００５】
このタイプの配置構成は依然として実際的でなく、かつ風当て領域は背面の底部に限定される。
【０００６】
その後、出願人は、別の従来技術特許文献において、通気路を形成し、かつ、その頂部上側部分及びその底部下側部分の両側に、着用者の背中からそれを離して直立させ、通気を促進し、及びショルダーストラップの頂部部分及びベルトの底部部分における領域を留める、突出領域を具備する、頂部から底部までの長手方向の中央くぼみを画成する突出及び中空形状部を具備して配置された熱形成背面を開発した（例えば、特許文献２参照）。しかしながら、この明らかに気を惹く解決策は、その軽量さ、さらに費用価格にも拘わらず、用途及び快適性に関して或る限定を有する。背面を熱形成によって得られる形状部は固定され最終的なものであり、また、補剛材を構成する。そして、これらの形状部は伸長及び解剖上の形態が異なる他の人達以外の或る人達のために最適化される。幾つかの理由のために、突出領域は危険で損傷を引き起こす。こういうわけで、出願人は前記構造体の産業上の開発を追求していない。
【特許文献２】仏国特許第９８／０６７０４号明細書
【０００７】
かくして、出願人はまた別の従来技術特許文献で、バッグ背面が、鉛直に配置され且つこれら自体の端部で開放する、複数の平行なチャンネルを具備するリュックサックを提案した（例えば、特許文献３参照）。これらのチャネルの外側は穿孔されたシート又は着用者の背中に接触するように構成されたネットで覆われる。この解決策は、通気の点から満足の行くものであるが、実施するには依然として高価であった。
【特許文献３】仏国特許第２７００２５２号明細書
【発明の開示】
【発明が解決しようとする課題】
【０００８】
したがって、出願人は、コスト、快適性及び／又は十分な通気のために、産業規模の生産によって満足の行く解決策を与えるものではなかった、ライン上の異なる作業を通じて、全ての拘束に対処する最適化された解決策を見出すためにその研究を継続した。
【課題を解決するための手段】
【０００９】
前記研究は、より広い用途の条件下の全てにおいて、個人の状態及び個人の形態とは無関係に、全く適切な品質価格及び快適性のレベルを与え、使用及び快適性に関する全ての拘束に極めて何足が行くように対処する新規な解決策に到達した。
【００１０】
第１の特徴によれば、前記構造体は、通気機能を与え、かつ人が着用する物品の何れにも取り付け得るものである。空気の通過及び通気のためのチャネルを画成する補剛材を構成する突出領域を備える前記構造体は、その全表面上に設置されたメッシュにより変形し得る可撓性材料製の少なくとも１つのグリッドから成るという点で注目に値する。前記グリッドは複数の形状部に形状記憶を与える成形処理によって得られた複数の突出形状を有する。前記形状部は、通気チャネルを画成するために配置され且つ配置構成されるメッシ形態で得られる。しかも、前記形状部の外周壁及びこれら上面は可撓性を有する（すなわち曲げ易く）且つ変形可能であり、グリッドの全メッシュを通じて通気が生じる。
【００１１】
本発明の主題を確立するために、図面中の図には非限定的態様を図示した。
【００１２】
本発明の主題をより特定するために、ここでは、図面中の図に関して非限定的態様で説明した。
【００１３】
本発明はバッグ背面構造体に適用するが、例えば、リュックサック上に配置されたバッグ担持肩ストラップ及び／又はウエストベルトにも適用する。本発明は、バッグ背面に対してより詳細に図示している。
【００１４】
従って、従来技術文献に記載された第１実施形態を説明する。堅固なフレームは、逆Ｖ字を構成する結合された分岐部と共に配置される。空気の循環のための空間を形成するために、第１分岐部は背面の底部と把持ウエストベルトの後部面と相互作用するように構成される。
【００１５】
第１の特徴によれば、リュックサック背面部上に携帯用ハーネスが遠隔手動制御によって調整可能な方法で配置されたリュックサック背面部を備えるタイプのリュックサックの背負う位置を調整する装置は、互いに独立した関係で、リュックサック背面部の位置を携帯用ハーネスに対して調整できるようにする遠隔手動制御部の助けで確立される、２つの位置調整および制御手段を備え、リュックサック背面部の寸法を使用者の背中に適応させ、歩行中に支える身体部位を変更して、可能性のある障害を全て制限かつ低減するために、前記第１の手段は、リュックサック背面部をハーネスに対して上昇させることができ、前記第２の手段は、前記リュックサック背面部を前記ハーネスに対して下降させることができ、リュックサック背面部が、その中央の長手方向の平面内に配置された循環ベルトを収容するように構成され、前記ベルトがストランドによって携帯用ハーネスに固定され、位置調整および制御手段のいずれか、またはその両方によって、リュックサック背面部をハーネスに対して相対的に変位させることができるようにし、前記第２の制御手段によって作動される係止機構が、循環ベルトに作用し、循環ベルトが所望の変位の位相に応じて位置的に不動化し、または解放できるようにすることを特徴とする。
【発明を実施するための最良の形態】
【００１６】
本発明による通気可能な背面構造体は、押出し成形されたポリエステルタイプ又は類似材料の曲げ易く且つ変形可能な材料製の熱成形又は熱圧縮された少なくとも１つのグリッド（２）から成る。その全表面に亘って設置されたメッシュにより作られたこのグリッド（２）は全ての方向で空気の通気を可能にする。このグリッドは、なおさらに、グリッドの全表面に亘るメッシュの総合的な連続性を与える熱圧縮又は熱形成形状の作用及び処理の間に得られる複数の突出形状部（２ａ）によって作られる。これらの突出形状部（２ａ）は同一又は異なる体積を規定する。また、これら自体の形状は同一又は異なる。これらは、列になって配置され、かつ鉛直なチャネル（２ｄ）及び／又は水平なチャネル（２ｅを形成するために整合されるか、あるいは通気を与え且つ衝突を阻止するために他の連続形態で配置し得る。グリッド（２）に基づいて作られたこれらの形状部（２ａ）は、”通気可能な”背面構造体に亘る総合的な通気によって全ての方向における旋回運動を可能にするように、これらの形状部を通る空気の通過及び循環を可能にする。本発明の特定の利点によれば、これらの形状部（２ａ）に作られた外周壁（２ｂ）及びこれらの上側面（２ｃ）は、着用者の背中にスポットタイプの圧力が生じた際に弾性変形する能力によってそれ自体曲げ易い。こうして作られた形状部（２ａ）は作用した圧力の関数として変形し得るブロックの態様で作用し、かつ圧力がおさまった時にこれらの位置に復帰する。これらの形状部（２ａ）はメッシュ形態をしている。通気は全ての点で一定の態様で生じ、総合的な最適化及び携帯の間により良い快適性を与える。これらの変形システムにより、これらの形状部（２ａ）は衝突せず、形状記憶により、圧力がおさまった時に、全組立体は或る弾性を有するため、これらの位置に復帰する。
【００１７】
この構造体は、同一又は異なる突出形状部に配置された上述のタイプの複数のグリッドを備え得る。しかしながら、グリッドは全く同一のシェル上に配置され、かつ均質な統一体を構成するために１つ及び同一のシェル上に配置するための類似の体積を規定する。複数のグリッドの形態をしているこの実施形態はモールド成型とコスト費用のために選択し得る。
【００１８】
従って、本発明による背面組立体は、ぎこちなさ、不快又は損傷なくして、異なる解剖学的形態の人に適用することが理解される。用途の関数として所望された形状及び寸法における単数又は複数のグリッドは背面構造体を構成する支持シェル（３）に固定され、かつ何れかのリンク装置、接着結合、接触及び閉鎖手段によって、あるいは上述した支持シェル（３）の外周境界上に織物境界（３ａ）によってカバー及び留めることによって前記シェルに固定される。このように記載された背面構造体は、携帯ショルダーストラップ部分（４）及びウエストベルト（５）を具備する担持ハーネス、及び個々の本体からそれを分離する衛生的な保護カバーネット（６）を具備する周知の態様で配置し得る。この場合、ネットは、支持シェル（３ａ）の外周端縁間で張力付与されるか、あるいは熱形成又は熱圧縮もし得るかの何れかであり、形状部（２ａ）の輪郭に合致する。単数又は複数のグリッドを作るのに使用あれる材料は有利にはポリエステルであるが、何れか他の材料及び上述した機能を行う成分を使用し得る。本発明による、その成分によって、通気可能な背面構造体は、これが用途の機能として有用なもであってさえも、中央部分の継続部分で作られたウイングを、横方向端部に具備し、かつ着用者の側部を僅かな範囲に包囲することができる。
【００１９】
本発明はバッグ等用携帯ショルダーストラップにも適用される。これらは、ショルダーストラップの輪郭に合致し、かつカバー織物を具備する支持シェルによって保持されるように切り取られ且つ輪郭づけられた１つ以上のグリッドを受容し得る。
【００２０】
本発明は、概して、リュックサック又は携帯バッグに取り付け得るか又は取り付け得ないウエストベルトにも適用される。前記ベルトは、周知の閉鎖し手段を含むカバー織物を具備する本発明の単数又は複数のグリッドを受容する支持シェルも含む。
【００２１】
本発明の利点は明らかである。グリッドに関する本発明の新規な概念はその特定の形状に亘って通気機能を与えるが、これらの形状記憶によって、圧力による力の除去が強調された後でこれらの初期位置に復帰する形状部（２ａ）がつぶれてへこむことを制限するために与えられたブロック効果を与える。製造コストは従来技術に比較して非常に低廉である。本発明は全ての形態物品に適用される。
【図面の簡単な説明】
【００２２】
【図１】通気可能な後部構造体を設けたバッグ背面の平面図である。
【図２】前記後部構造体を図示する半横向きの図である。
【図３】保護ネットが前記後部構造体に取り付けられたことによる、図２に類似した図である。
【符号の説明】
【００２３】
１  リュックサック
２  グリッド
２ａ  突出形状部
２ｂ  外周壁
２ｃ  上側面
２ｄ  チャネル
２ｅ  チャネル
３  支持シェル
３ａ  織物境界
４  携帯ショルダーストラップ部分
５  ウエストベルト
６  保護カバーネット
【図１】
0004653477.tif 000002
【図２】
0004653477.tif 000003
【図３】
0004653477.tif 000004